(57)【要約】　　　（修正有）【課題】扉ヒンジ装置を有する既存ボックスに第二の扉ヒンジ装置として追加取付けが可能で、扉は９０度以上の開閉が可能であり、本扉ヒンジを操作することなく扉を容易に開閉させることができる自動販売機等の扉ヒンジ装置を提供する。【解決手段】２本の棒１ａおよび１ｂを連結した連結ユニット１は連結部で折れ曲がる形で回転させることができる。また保持具２および３に保持された連結ユニットは各取付け面とほぼ平行方向にスライドすることができこのスライド量に応じて扉開閉における回転の中心位置が変わる。そして従来の扉ヒンジ装置を取付けた既存ボックスに本連結ユニット１を取付ける場合は、従来の扉ヒンジ装置の回転の中心軸から各取付け面側の連結ユニットまでの距離を等しく設定することで扉を９０度以上開閉させることを可能とした。【選択図】　図２
2004062838.tif 000002
【特許請求の範囲】
【請求項１】
２本の棒または板が互いの端部で折れ曲がることができるように結合された連結ユニット１とこれをボックス本体と扉に取付けるための２つの保持具２および３とで構成する。そして保持具で保持された連結ユニットは各取付け面とほぼ平行方向にスライドすることができる。連結ユニットがスライドすることで扉の開閉における回転の中心位置が固定されることがない。逆に扉の開閉における回転の中心位置を連結ユニットとは別の位置に設けることが可能であることを特徴とした自動販売機等の扉ヒンジ装置。
【請求項２】
請求項１の扉ヒンジ装置において、連結ユニット１とこれを保持する保持具２および３との嵌め合いに各取付け面と垂直方向に遊びを持たせることで多種の既存ボックスに取付けることが可能な扉ヒンジ装置。
【発明の詳細な説明】
【０００１】
【発明が属する技術分野】
本発明は、自動販売機等のボックスの扉ヒンジ装置である。また、既存の自動販売機等に第二の扉ヒンジ装置として追加取付けが可能であり、この場合は防犯装置として利用される。
【０００２】
【従来の技術】
従来のボックス本体と扉を繋ぐ扉ヒンジ装置としては、例えば自動販売機等の大型の扉に用いられる扉ヒンジ装置は扉の上下から突出した軸ピンを扉側の穴に嵌め込んだものが多く、比較的小型のものには蝶番が多く使用されている。しかしながら、いずれの場合においても扉開閉における回転中心位置が一箇所に固定されており、本装置のように回転中心軸を前後および左右方向にスライドさせることができるものはなかった。また、既存のヒンジ装置を有したボックスに第二のヒンジ装置として追加取付けが可能なものはなかった。
【０００３】
【発明が解決しようとする課題】
従来の扉ヒンジ装置を有する既存ボックスに第二の扉ヒンジ装置として追加取付けが可能なこと。この時に扉は９０度以上の開閉が可能であり、本扉ヒンジを操作することなく扉を容易に開閉させることができること。また既存のボックスの種類によっては扉ヒンジ装置の取付け位置が異なったりするが、出来るだけ多くの種類の既存ボックスに取付けが可能なこと。そして省スペースであることなどが求められている。
【０００４】
【課題を解決するための手段】
２本の棒または板が互いの端部で折れ曲がることができるように結合した連結ユニット１とこれをボックス本体側面と扉前面に取付け保持させるための２つの保持具２および３とで構成する。そして保持具に保持された連結ユニットが各取付け面とほぼ平行方向にスライドするこ々ができるようにしておけば各保持具での連結ユニット１のスライド量に応じて扉開閉における回転の中心位置が変わる。また従来の扉ヒンジ装置を取付けた既存ボックスに本連結ユニット１を取付ける場合、従来の扉ヒンジ装置の回転の中心軸から各取付け面側の連結ユニットまでの距離を等しくなる様にすることで扉を９０度以上開閉させることができる。そして出来るだけ多くの既存ボックスに対応するためには連結ユニット１の保持具２および３における嵌め合いに遊びを持たせると良い。
【０００５】
【発明の実施の形態】
本発明の扉ヒンジ装置は従来の扉ヒンジ装置がついた既存ボックスに第二の扉ヒンジ装置として取付けることが可能で、従来の扉ヒンジ装置が破壊されても本発明の扉ヒンジ装置によってボックス内部の盗難を防ぐことができる。
【０００６】
また、本発明品のみをボックスの扉ヒンジ装置として利用した場合、例えばヒンジ側に同じボックスが併設されていても図８のように扉を１８０度開閉させることができる。
【０００７】
【実施例】
連結ユニット１は棒１ａと１ｂがお互いの端部を結合した丸ピン１ｃを中心に折れ曲がるように回転することができる。この結合部は棒１ａ端部の凹部に棒１ｂ端部の凸部を嵌め込みそれぞれの穴に丸ピン１ｃを突き通して結合する。丸ピン１ｃは抜けることがないようにその両端を棒１ａに固定する。
【０００８】
連結ユニット１をボックス本体側面と扉前面に取付けるための保持具２と３にはそれぞれの棒１ａと１ｂを通し保持するための保持穴２ａと３ａを設けており、これらの穴に通された棒は各取付け面と平行方向に自由にスライドすることができる。
【０００９】
保持具２の保持穴２ａはその取付け面と垂直方向への長穴になっており、保持具３の保持穴３ａはその取付け面と垂直方向への長穴になっている。この長穴に保持された連結ユニット１は各取付け面と垂直方向に長穴との隙間ができ、この隙間分の取付け誤差等を吸収することができる。
【００１０】
そして本装置を図１の如くボックスに取付け、図５または図６のように扉を９０度開いてボックス本体側面と扉前面が平行になった時に連結ユニット１の棒１ａと１ｂは一直線になるように各保持具の取付け面と各棒を保持する保持穴の位置を決めている。これにより扉を９０度以上開閉させることができる。
【００１１】
また、ボックス本体側面に取付けた棒１ａが保持具２から抜けないように棒１ａに抜け止めピン１ｄを取付けた。そしてこの抜け止めピン１ｄ自体が破壊されないように保持具２に格納穴２ｂを設けており、図５のようにボックスの扉を閉じた時に抜け止めピン１ｄは格納穴２ｂの中に格納される。
【００１２】
同様に、扉前面に取付けた棒１ｂが保持具３から抜けないように棒１ｂに抜け止めピン１ｅを取付けた。そしてこの抜け止めピン１ｅは扉を閉じた時に保持具３のカバープレート３ｂの内側に格納される。
【００１３】
図５の状態から図６そして図７の状態へとボックスの扉を開いてゆくと、ボックス本体側に取付けた棒１ａと扉側に取付けた棒１ｂはお互い離れる方向にスライドする。扉を閉じる時はその逆の動きをする。また、扉を９０度開いた時に棒１ａと１ｂは一直線になる。
【００１４】
【発明の効果】
本発明は、既存の扉ヒンジ装置をもつボックスに第二の扉ヒンジ装置として取付けることができ、９０度以上の開閉も容易に行なうことができる。そして既存の扉ヒンジ装置を破壊されても本発明の扉ヒンジ装置によってボックス内部の盗難を防止する効果がある。本発明品の連結ユニット１は取付け面と平行にスライドするだけなので省スペースである。また、扉ヒンジ装置として本発明の扉ヒンジ装置のみを使用する場合、扉ヒンジ装置側に同じボックスが併設されていても扉を１８０度開くことができる。
【００１５】
本発明の上記実施例における連結ユニット１は丸棒を使用し、その保持具２および３の保持穴２ａおよび３ａは長丸穴であるが、連結ユニット１が平板で保持具２および３の保持穴２ａおよび３ａは角穴であってもＣ型の溝状の構造であっても同様の効果がある。
【図面の簡単な説明】
【図１】本発明品を既存の自動販売機に取付けた状態の全体図
【図２】扉閉状態のボックスに取付けた本発明品の斜視図
【図３】本発明品の構成部品の斜視図
【図４】扉閉状態のボックスに取付けた本発明品の側面図
【図５】扉閉状態の既存ボックスに取付けた本発明品の上面図
【図６】扉を９０度開いた既存ボックスに取付けた本発明品の上面図
【図７】扉を１５０度開いた既存ボックスに取付けた本発明品の上面図
【図８】本発明品を取付けた既存ボックスの扉を１８０度開いた上面図
【符号の説明】
１は棒１ａと１ｂを連結した連結ユニット
１ａおよび１ｂは棒
１ｃは棒１ａと１ｂを連結する連結ピン
１ｄは保持具２の穴２ａに通した棒１ａの抜け止めピン
１ｅは保持具３の穴３ａに通した棒１ｂの抜け止めピン
２は棒１ａを保持しボックス本体に取付けるための保持具
２ａは棒１ａを通す保持穴
２ｂは棒１ａの抜け止めピン１ｄを格納する格納穴
３は棒１ｂを保持しボックスの扉に取付けるための保持具
３ａは棒１ｂを通す保持穴
３ｂは抜け止めピン１ｄを保護するカバープレート
【図１】
2004062838.tif 000003
【図２】
2004062838.tif 000004
【図３】
2004062838.tif 000005
【図４】
2004062838.tif 000006
【図５】
2004062838.tif 000007
【図６】
2004062838.tif 000008
【図７】
2004062838.tif 000009
【図８】
2004062838.tif 000010